Podtech/llm-jp-corpus-v4-ja_patent huggingface dataset:
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
可変表示を行って表示結果を導出する可変表示手段に予め定められた特定表示結果が導出されたときに、遊技者にとって有利な特定遊技状態に制御する遊技機であって、
所定の動作を行う可動部材と、
遊技機への電力供給が停止しても所定期間記憶内容を保持可能であり、制御を行う際に発生する変動データを記憶する変動データ記憶手段と、
遊技機への電力供給が開始されたときに、所定条件の成立にもとづいて前記変動データ記憶手段の記憶内容を初期化する初期化処理を実行する初期化手段と、
前記初期化手段によって前記初期化処理が実行されたことにもとづいて、初期化報知を実行する初期化報知手段と、
遊技機への電力供給が開始されたことにもとづいて、前記可動部材の初期動作を実行する初期動作実行手段とを備え、
前記初期動作実行手段は、前記初期化報知手段による前記初期化報知が終了した後に、前記可動部材の初期動作を実行し、
前記遊技機はさらに、
可変表示に関連する可変表示演出を実行する可変表示演出実行手段と、
可変表示演出において前記可動部材を動作させる可動部材演出を実行する可動部材演出実行手段と、
前記可動部材演出が終了したときに、前記可動部材を予め定められた復帰位置に復帰させる復帰動作を実行する復帰動作実行手段とを備え、
前記可変表示演出実行手段は、前回実行された可変表示演出において前記可動部材演出が実行されていたときに、該可動部材演出の終了後に前記復帰動作が完了しているか否かに関わらず、新たな可変表示演出を開始可能であり、
前記復帰動作実行手段は、前記復帰動作の完了前に新たな可変表示演出が開始されたときに、当該可変表示演出において前記可動部材演出が実行され得る最も早いタイミングまでに前記復帰動作を完了させる、
ことを特徴とする遊技機。
【手続補正２】
【補正対象書類名】明細書
【補正対象項目名】００１０
【補正方法】変更
【補正の内容】
【００１０】
（手段１）本発明による遊技機は、可変表示を行って表示結果を導出する可変表示手段（例えば、特別図柄表示器８）に予め定められた特定表示結果が導出されたときに、遊技者にとって有利な特定遊技状態に制御する遊技機であって、所定の動作を行う可動部材（例えば、第２の実施の形態における可動部材７８や演出羽根役物７９ａ，７９ｂなどの役物）と、遊技機への電力供給が停止しても所定期間記憶内容を保持可能であり、制御を行う際に発生する変動データを記憶する変動データ記憶手段（例えば、バックアップＲＡＭとしてのＲＡＭ５５）と、遊技機への電力供給が開始されたときに、所定条件の成立（例えば、クリアスイッチのオン）にもとづいて変動データ記憶手段の記憶内容を初期化する初期化処理を実行する初期化手段（例えば、遊技制御用マイクロコンピュータ５６０におけるステップＳ１０を実行する部分）と、初期化手段によって初期化処理が実行されたことにもとづいて、初期化報知を実行する初期化報知手段（例えば、第２の実施の形態において、演出制御用マイクロコンピュータ１００におけるステップＳ３１０１〜Ｓ３１１１を実行する部分）と、遊技機への電力供給が開始されたことにもとづいて、可動部材の初期動作を実行する初期動作実行手段（例えば、第２の実施の形態において、演出制御用マイクロコンピュータ１００におけるステップＳ７０８を実行する部分）とを備え、初期動作実行手段は、初期化報知手段による初期化報知が終了した後に、可動部材の初期動作を実行し（例えば、第２の実施の形態において、演出制御用マイクロコンピュータ１００は、ステップＳ３５０２でＹと判定したことを条件にステップＳ３５０３以降の処理に移行して役物の初期動作を実行する）、前記遊技機はさらに、可変表示に関連する可変表示演出（例えば、演出図柄の変動表示）を実行する可変表示演出実行手段と、可変表示演出において前記可動部材を動作させる可動部材演出を実行する可動部材演出実行手段（例えば、演出図柄の変動において役物を動作させて予告演出を行う部分）と、前記可動部材演出が終了したときに、前記可動部材を予め定められた復帰位置に復帰させる復帰動作を実行する復帰動作実行手段（例えば、予告演出で動作位置にある役物を復帰位置に復帰させる復帰動作を行う部分）とを備え、前記可変表示演出実行手段は、前回実行された可変表示演出において前記可動部材演出が実行されていたときに、該可動部材演出の終了後に前記復帰動作が完了しているか否かに関わらず、新たな可変表示演出を開始可能であり、前記復帰動作実行手段は、前記復帰動作の完了前に新たな可変表示演出の実行が開始されたときに、当該可変表示演出において前記可動部材演出が実行され得る最も早いタイミングまでに前記復帰動作を完了させる、ことを特徴とする。そのような構成により、初期化処理が実行されたときに初期化報知と可動部材の初期動作とにかかる電力消費を分散することができる。
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
複数のトランジスタと、
少なくとも１つのキャパシタと、
前記少なくとも１つのキャパシタと電流をやりとりするように構成された第１の経路であり、前記複数のトランジスタのうちの第１のトランジスタが、当該第１の経路上に位置し、且つ、制御信号が第１の値から第２の値に変化するのに応答して該第１のトランジスタがオフに切り替わる時に、電流に第１の一時的な寄生スパイクを生成する、第１の経路と、
電流クランプ回路であり、
前記制御信号が前記第１の値から前記第２の値に変化する時に、前記第１の一時的な寄生スパイクが前記第１の経路を通って部分的にのみ伝達されるように、前記第１のトランジスタからの電流に対する追加経路を開き、且つ
前記追加経路が或る期間にわたって開かれて前記第１の一時的な寄生スパイクが消えた後に、前記追加経路を閉じる
ように構成された電流クランプ回路と、
を有するチャージポンプ。
【請求項２】
前記少なくとも１つのキャパシタと電流をやりとりするように構成された第２の経路であり、前記複数のトランジスタのうちの第２のトランジスタが、当該第２の経路上に位置し、且つ、第２の制御信号が前記第２の値から前記第１の値に変化するのに応答して該第２のトランジスタがオフに切り替わる時に、電流に第２の一時的な寄生スパイクを生成する、第２の経路、
を更に有する請求項１に記載のチャージポンプ。
【請求項３】
前記第１の経路は更に、前記第１のトランジスタと前記少なくとも１つのキャパシタとの間に結合された第２のトランジスタを有し、該第２のトランジスタは、第１のバイアス入力に結合されたゲートを有する、請求項１に記載のチャージポンプ。
【請求項４】
前記電流クランプ回路は、前記制御信号に結合されて前記制御信号を受信するゲートを各々が有するＰＭＯＳトランジスタ及びＮＭＯＳトランジスタを有し、前記ＰＭＯＳトランジスタ及び前記ＮＭＯＳトランジスタは、前記第１のトランジスタと直列に結合される、請求項１に記載のチャージポンプ。
【請求項５】
前記電流クランプ回路は、入力が前記少なくとも１つのキャパシタに結合されたアナログ中継器を有する、請求項１に記載のチャージポンプ。
【請求項６】
前記電流クランプ回路は更に、前記制御信号を受信するように結合されたゲートを有する第２のトランジスタを有し、該第２のトランジスタは、前記第１のトランジスタと前記アナログ中継器の出力との間に結合される、請求項５に記載のチャージポンプ。
【請求項７】
前記電流クランプ回路は更に、前記制御信号と前記第２のトランジスタの前記ゲートとの間に結合された１つ以上のインバータを有する、請求項６に記載のチャージポンプ。
【請求項８】
前記電流クランプ回路は、前記第１のバイアス入力と前記第１のトランジスタとの間に結合された第３のトランジスタを有する、請求項３に記載のチャージポンプ。
【請求項９】
前記電流クランプ回路は更に、前記制御信号と前記第３のトランジスタのゲートとの間に結合された少なくとも１つのインバータを有する、請求項８に記載のチャージポンプ。
【請求項１０】
チャージポンプを動作させる方法であって、
制御信号が第１の値から第２の値に変化するのに応答して前記チャージポンプの第１のトランジスタをオフに切り替え、前記第１のトランジスタは、前記チャージポンプの少なくとも１つのキャパシタと電流をやりとりするように構成された前記チャージポンプの第１の経路上に位置し、前記第１のトランジスタをオフに切り替えることは、電流に第１の一時的な寄生スパイクを生成し、
前記制御信号が前記第１の値から前記第２の値に変化するのに応答して、前記第１の一時的な寄生スパイクが前記第１の経路を通って部分的にのみ伝達されるように、前記第１のトランジスタからの電流に対する追加経路を開き、且つ
前記追加経路が或る期間にわたって開かれて前記第１の一時的な寄生スパイクが消えた後に、前記追加経路を閉じる、
ことを有する方法。
【請求項１１】
第２の制御信号が前記第２の値から前記第１の値に変化するのに応答して前記チャージポンプの第２のトランジスタをオフに切り替え、前記第２のトランジスタは、前記チャージポンプの前記少なくとも１つのキャパシタと電流をやりとりするように構成された前記チャージポンプの第２の経路上に位置し、前記第２のトランジスタをオフに切り替えることは、電流に第２の一時的な寄生スパイクを生成し、
前記第２の制御信号が前記第２の値から前記第１の値に変化するのに応答して、前記第２の一時的な寄生スパイクが前記第２の経路を通って部分的にのみ伝達されるように、前記第２のトランジスタからの電流に対する第２の追加経路を開き、且つ
前記第２の追加経路が或る第２の期間にわたって開かれて前記第２の一時的な寄生スパイクが消えた後に、前記第２の追加経路を閉じる、
ことを更に有する請求項１０に記載の方法。
【請求項１２】
前記第１の経路は更に、前記第１のトランジスタと前記少なくとも１つのキャパシタとの間に結合された第２のトランジスタを有し、該第２のトランジスタは、第１のバイアス入力に結合されたゲートを有する、請求項１０に記載の方法。
【請求項１３】
前記追加経路は、前記制御信号に結合されて前記制御信号を受信するゲートを各々が有するＰＭＯＳトランジスタ及びＮＭＯＳトランジスタを有した電流クランプ回路によって開閉され、前記ＰＭＯＳトランジスタ及び前記ＮＭＯＳトランジスタは、前記第１のトランジスタと直列に結合される、請求項１０に記載の方法。
【請求項１４】
前記追加経路は、入力が前記少なくとも１つのキャパシタに結合されたアナログ中継器を有する電流クランプ回路によって開閉される、請求項１０に記載の方法。
【請求項１５】
前記電流クランプ回路は更に、前記制御信号を受信するように結合されたゲートを有する第２のトランジスタを有し、該第２のトランジスタは、前記第１のトランジスタと前記アナログ中継器の出力との間に結合される、請求項１４に記載の方法。
【請求項１６】
前記電流クランプ回路は更に、前記制御信号と前記第２のトランジスタの前記ゲートとの間に結合された１つ以上のインバータを有する、請求項１５に記載の方法。
【請求項１７】
前記追加経路は、前記第１のバイアス入力と前記第１のトランジスタとの間に結合された第３のトランジスタを有する電流クランプ回路によって開閉される、請求項１２に記載の方法。
【請求項１８】
前記電流クランプ回路は更に、前記制御信号と前記第３のトランジスタのゲートとの間に結合された少なくとも１つのインバータを有する、請求項１７に記載の方法。
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
複数の電力制御モードそれぞれに対して設けられた割合を設定する設定部と、
複数の前記電力制御モードそれぞれにおいて目標となり日によって異なる送受電電力量から、前記割合に従って、実際に電力制御を実行する際の目標となる目標送受電電力量を算出する目標算出部と、
前記目標送受電電力量に沿って電力制御を行う電力制御処理部と
を備える電力制御装置。
【請求項２】
前記目標算出部は、前記設定部により設定される前記割合で、複数の前記電力制御モードそれぞれにおいて目標となる送受電電力量を加重平均することにより、前記目標送受電電力量を算出する
請求項１に記載の電力制御装置。
【請求項３】
再生可能エネルギーを利用して発電を行う発電部において発電される発電電力、および、電力を消費する負荷に供給される需要電力を計測する電力計測部と、
過去の前記発電電力量および前記需要電力量の実績が蓄積された蓄積データに基づいて、前記発電部により発電されると予測される予測発電電力量、および、前記負荷による需要が発生すると予測される予測需要電力量を求める電力予測部と
をさらに備え、
前記電力予測部は、予測した前記予測発電電力量および前記予測需要電力量から予測送受電電力量を算出し、前記予測送受電電力量に従って、複数の前記電力制御モードそれぞれにおいて目標となる送受電電力量を設定する
請求項１に記載の電力制御装置。
【請求項４】
ユーザにより操作される操作端末をさらに備え、
前記設定部は、前記操作端末が有する表示部に、複数の前記電力制御モードそれぞれに指定される割合を表示し、ユーザにより、所定の前記電力制御モードに対する前記割合の増加または減少が指定されたとき、他の前記電力制御モードに対する前記割合を変化させる
請求項１に記載の電力制御装置。
【請求項５】
前記設定部は、予め設定された所定数の質問内容をユーザに提示し、それらの質問内容に対する回答に従って、複数の電力制御モードに対する割合を設定する
請求項１に記載の電力制御装置。
【請求項６】
複数の電力制御モードそれぞれに対して設けられた割合を設定し、
複数の前記電力制御モードそれぞれにおいて目標となり日によって異なる送受電電力量から、前記割合に従って、実際に電力制御を実行する際の目標となる目標送受電電力量を算出し、
前記目標送受電電力に沿って電力制御を行う
ステップを含む電力制御方法。
【請求項７】
複数の電力制御モードそれぞれに対して設けられた割合を設定し、
複数の前記電力制御モードそれぞれにおいて目標となり日によって異なる送受電電力量から、前記割合に従って、実際に電力制御を実行する際の目標となる目標送受電電力量を算出し、
前記目標送受電電力に沿って電力制御を行う
ステップを含む電力制御処理をコンピュータに実行させるプログラム。
【請求項８】
再生可能エネルギーを利用して発電を行う発電部、および、電力を消費する負荷が接続される電力制御システムにおいて、
複数の電力制御モードそれぞれに対して設けられた割合を設定する設定部と、
複数の前記電力制御モードそれぞれにおいて目標となり日によって異なる送受電電力量から、前記割合に従って、実際に電力制御を実行する際の目標となる目標送受電電力量を算出する目標算出部と、
前記目標送受電電力量に沿って電力制御を行う電力制御処理部と
を備える電力制御システム。
【手続補正２】
【補正対象書類名】明細書
【補正対象項目名】０００８
【補正方法】変更
【補正の内容】
【０００８】
本開示の一側面の電力制御装置は、複数の電力制御モードそれぞれに対して設けられた割合を設定する設定部と、複数の前記電力制御モードそれぞれにおいて目標となり日によって異なる送受電電力量から、前記割合に従って、実際に電力制御を実行する際の目標となる目標送受電電力量を算出する目標算出部と、前記目標送受電電力量に沿って電力制御を行う電力制御処理部とを備える。
【手続補正３】
【補正対象書類名】明細書
【補正対象項目名】０００９
【補正方法】変更
【補正の内容】
【０００９】
本開示の一側面の電力制御方法またはプログラムは、複数の電力制御モードそれぞれに対して設けられた割合を設定し、複数の前記電力制御モードそれぞれにおいて目標となり日によって異なる送受電電力量から、前記割合に従って、実際に電力制御を実行する際の目標となる目標送受電電力量を算出し、前記目標送受電電力に沿って電力制御を行うステップを含む。
【手続補正４】
【補正対象書類名】明細書
【補正対象項目名】００１０
【補正方法】変更
【補正の内容】
【００１０】
本開示の一側面の電力制御システムは、再生可能エネルギーを利用して発電を行う発電部、および、電力を消費する負荷が接続される電力制御システムにおいて、複数の電力制御モードそれぞれに対して設けられた割合を設定する設定部と、複数の前記電力制御モードそれぞれにおいて目標となり日によって異なる送受電電力量から、前記割合に従って、実際に電力制御を実行する際の目標となる目標送受電電力量を算出する目標算出部と、前記目標送受電電力量に沿って電力制御を行う電力制御処理部とを備える。
【手続補正５】
【補正対象書類名】明細書
【補正対象項目名】００１１
【補正方法】変更
【補正の内容】
【００１１】
本開示の一側面においては、複数の電力制御モードそれぞれに対して設けられた割合が設定され、複数の電力制御モードそれぞれにおいて目標となり日によって異なる送受電電力量から、設定された割合に従って、実際に電力制御を実行する際の目標となる目標送受電電力量が算出され、目標送受電電力量に沿って電力制御が行われる。
【手続補正書】
【提出日】平成25年12月5日(2013.12.5)
【手続補正１】
【補正対象書類名】特許請求の範囲
【補正対象項目名】全文
【補正方法】変更
【補正の内容】
【特許請求の範囲】
【請求項１】
情報処理装置と通信する第１通信手段と、前記情報処理装置上で動作するプロセスと前記第１通信手段を介して通信する第２通信手段と、を有する通信処理装置であって、
前記第１通信手段は、
前記情報処理装置が停止した際に前記第２通信手段に通知する通知手段を備え、
前記第２通信手段は、
前記情報処理装置上で動作しているプロセスのプロセスＩＤと、該プロセスに予め割り当てられている論理ＩＤと、の間の対応付け情報を格納する格納手段と、
通信先となるプロセスの論理ＩＤに対応するプロセスＩＤを前記格納手段を参照して取得する取得手段と、
前記取得手段が取得したプロセスＩＤを有する、前記情報処理装置上で動作するプロセスとの通信を実行する実行手段と、
前記通知手段によって前記情報処理装置が停止したことを通知された際に、前記情報処理装置で動作するそれぞれのプロセスについての前記格納手段が格納している対応付け情報を無効化する無効化手段と
を備えることを特徴とする通信処理装置。
【請求項２】
前記第２通信手段は、更に、
通信先となるプロセスについての前記対応付け情報が前記格納手段に格納されていないか又は無効化されている場合、該通信先となるプロセスの前記論理ＩＤに対応するプロセスＩＤを前記第１通信手段に問合せる問合せ手段と、
前記問合せに対する応答として前記第１通信手段から前記通信先となるプロセスのプロセスＩＤを取得し、該プロセスＩＤと、前記通信先となるプロセスの前記論理ＩＤと、の間の対応付け情報を前記格納手段に格納する登録手段と、
を備えることを特徴とする請求項１に記載の通信処理装置。
【請求項３】
前記第１通信手段は、更に、
複数の情報処理装置について、それぞれの情報処理装置上で動作しているプロセスのプロセスＩＤと、該プロセスの前記論理ＩＤと、の間の対応付け情報を格納する管理手段と、
前記第２通信手段から前記問合せを受けた場合に、前記通信先となるプロセスの前記論理ＩＤに対応するプロセスＩＤを前記管理手段を参照して取得し、該取得したプロセスＩＤを前記第２通信手段へ送信する送信手段と
を備えることを特徴とする請求項２に記載の通信処理装置。
【請求項４】
情報処理装置と通信する第１通信手段と、前記情報処理装置上で動作するプロセスと前記第１通信手段を介して通信する第２通信手段と、を有する通信処理装置が行う通信処理方法であって、
前記第２通信手段は、前記情報処理装置上で動作しているプロセスのプロセスＩＤと、該プロセスに予め割り当てられている論理ＩＤと、の間の対応付け情報を格納する格納手段を有し、
前記第２通信手段の取得手段が、通信先となるプロセスの論理ＩＤに対応するプロセスＩＤを前記格納手段を参照して取得する取得工程と、
前記第２通信手段の実行手段が、前記取得工程で取得したプロセスＩＤを有する、前記情報処理装置上で動作するプロセスとの通信を実行する実行工程と、
前記第１通信手段の通信手段が、前記情報処理装置が停止した際に前記第２通信手段に通知する通知工程と、
前記通知工程において前記情報処理装置が停止したことを通知された際に、前記情報処理装置で動作するそれぞれのプロセスについての前記格納手段が格納している対応付け情報を無効化する無効化工程と
を備えることを特徴とする通信処理方法。
【請求項５】
コンピュータを、請求項１乃至３の何れか１項に記載の通信処理装置が有する各手段として機能させるためのプログラム。
【請求項６】
請求項５に記載のプログラムを格納した、コンピュータが読み取り可能な記憶媒体。
【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
電気泳動方式の印刷機器において液体現像剤の移送を最適化する方法において、
露光ヘッド（４）によって、中間像担持体（１）上に、印刷しようとする印刷像の電位像を形成し、該電位像を、現像ステーション（５）によって、少なくともトナーと液体キャリアとを含有する液体現像剤を用いて着色して、トナー像を形成し、トナー像を、転写ユニット（６）を介して転写域（９）で被印刷物（７）に転写し、その際、
液体キャリア内に含有されたトナーを、移送ユニット（１，６１）によって、現像ステーション（５）から中間像担持体（１）と転写ユニット（６）とを介して被印刷物（７）に移送し、
現像ステーション（５）から転写ユニット（６）を介して転写域（９）に向かう移送経路において、液体現像剤に作用する温度を、１つの移送ユニットから次の移送ユニットおよび被印刷物（７）に液体現像剤を移送するために要求される液体キャリアの粘度がトナーの運動性に関して最適化されるように、選択して、液体現像剤に作用する温度を、転写域（９）に到達するまでは、液体キャリアの融点を上回るように調節し、かつ被印刷物（７）の温度を、該被印刷物（７）が転写域（９）に到達するまえに、被印刷物（７）の冷却により液体キャリアの融点を下回るように調節して、転写域（９）の領域における被印刷物（７）上の液体キャリアの粘度を高める、
ことを特徴とする、電気泳動方式の印刷機器において液体現像剤の移送を最適化する方法。
【請求項２】
液体キャリアとして、大気圧で、０℃〜４０℃の範囲にある融点を有する炭化水素を選択する、
請求項１記載の方法。
【請求項３】
転写域（９）への液体現像剤の移送を、室温で行い、
室温を下回る融点を有する液体キャリアを選択して、現像ステーション（５）から被印刷物（７）までの移送経路上に、液体キャリア内のトナーを移送するために要求される低い粘度が存在するようにする、
請求項２記載の方法。
【請求項４】
転写域（９）の手前に、被印刷物（７）を冷却するために、被印刷物（７）の隣に冷却ユニット（１０）が配置されている、請求項１記載の方法を実施する装置。
【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
光学媒体（１２）のマイクロホログラムに向かって送られた読取りビーム（１６）からの反射を検出するように構成された光学素子（１４）と、
前記光学媒体（１２）からの前記読取りビーム（１６）の反射に基づいて第１のデータストリーム（７６）を生成するように構成された光学読取り回路（２８）と、
第１のデータストリーム（７６）に対してチェックサムテスト（８２、８４）を適用するように構成されたチェックサム回路（５８）と、
第１のデータストリーム（７６）がチェックサムテスト（８２、８４）に適合するか否かを判定する（８４）ように構成されたプロセッサ（２８、５８）と、
プロセッサ（２８、５８）により第１のデータストリーム（７６）がチェックサムテスト（８２、８４）に適合したと判定されたときに非起動とするように構成され、かつプロセッサ（２８、５８）により第１のデータストリーム（７６）がチェックサムテスト（８２、８４）に不適合であると判定されたときに起動とするように構成されたデコーダ（６０）と、
を備える光学読取り機システム（１０）。
【請求項２】
チェックサム回路（５８）にアクセス可能なメモリシステム（３８、４０）であってチェックサムテスト（８２、８４）のチェックサムアルゴリズム（８２）を保存するように構成されたメモリシステム（３８、４０）を備える請求項１に記載のシステム（１０）。
【請求項３】
前記プロセッサ（２８、５８）はデコーダ（６０）に対する非起動または起動を制御信号を介して行うように構成されている、請求項１に記載のシステム（１０）。
【請求項４】
前記光学読取り回路及び前記デコーダに結合されたバッファ（７８）を備えており、該バッファ（７８）は光学読取り回路が生成した第１のデータストリーム（７６）をバッファリングするように構成されていると共に、該デコーダは該バッファ（７８）にアクセスし、バッファリングした第１のデータストリーム（７６）をデコード処理し、かつエラー訂正済みの第１のデータストリーム（９０）を生成するように構成されている、請求項１に記載のシステム（１０）。
【請求項５】
前記チェックサム回路（５８）はエラー訂正済みの第１のデータストリーム（９０）に対してチェックサムテスト（９２）を適用するように構成されていると共に、前記プロセッサ（２８、５８）はエラー訂正済みの第１のデータストリーム（９０）がチェックサムテスト（９２）に適合するか否かを判定する（９４）ように構成されている、請求項４に記載のシステム（１０）。
【請求項６】
前記プロセッサ（２８、５８）はプロセッサ（２８、５８）によってエラー訂正済みの第１のデータストリーム（９０）がチェックサムテスト（９２）に不適合であると判定された場合に光学媒体（１２）からの第２の光学データ読取りを制御するように構成されていると共に、前記光学読取り回路（２８）は該第２の光学読取りに基づいて第２のデータストリーム（９６）を生成するように構成されている、請求項５に記載のシステム（１０）。
【請求項７】
前記プロセッサ（２８、５８）は光学媒体（１２）からの第２の光学データ読取りを制御するように構成されていると共に、前記光学読取り回路（２８）は該第２の光学読取りに基づいて第２のデータストリーム（９６）を生成するように構成されている、請求項１に記載のシステム（１０）。
【請求項８】
前記プロセッサ（２８、５８）は、
合成データストリーム（１００）を生成するように第１のデータストリーム（８０）を第２のデータストリーム（９６）と合成すること、
エラー訂正済み合成データストリーム（９０）を生成するために合成データストリーム（１００）をデコーダに送ること、並びに
エラー訂正済み合成データストリーム（８６）にチェックサムテスト（９２）を適用するためにエラー訂正済み合成データストリーム（９０）をチェックサム回路（５８）に送ること、
を行うように構成されている、請求項７に記載のシステム（１０）。
【請求項９】
前記プロセッサは、
エラー訂正済み合成データストリーム（９０）がチェックサムテスト（９２）に適合するか否かを判定すること（９４）、並びに
プロセッサ（２８、５８）によってエラー訂正済み合成データストリーム（９０）がチェックサムテスト（９２）に適合したと判定された場合（９４）にエラー訂正済み合成データストリーム（９０）を出力すること（８６）、
を行うように構成されている、請求項８に記載のシステム（１０）。
【請求項１０】
前記プロセッサ（２８、５８）は、
エラー訂正済み合成データストリーム（９０）がチェックサムテスト（９２）に適合するか否かを判定すること（９４）、
プロセッサ（２８、５８）によってエラー訂正済み合成データストリーム（９０）がチェックサムテスト（９２）に不適合であると判定された場合に光学媒体（１２）からの第３の光学データ読取りを制御することであって、前記光学読取り回路（２８）は該第３の光学読取りに基づいて第３のデータストリーム（９６）を生成するように構成されている読取り制御、並びに
第１のデータストリーム（７６）、第２のデータストリーム（９６）、合成データストリーム（１００）及びエラー訂正済み合成データストリーム（９０）のうちの１つまたは幾つかと第３のデータストリーム（９６）を合成すること（９８）、
を行うように構成されている、請求項８に記載のシステム（１０）。
【手続補正書】
【提出日】平成26年1月10日(2014.1.10)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１のトランジスタと、第２のトランジスタと、容量と、を有し、
前記第１のトランジスタのソース又はドレインの一方は、第１の配線と電気的に接続され、
前記第１のトランジスタのソース又はドレインの他方は、前記容量の一方の電極と電気的に接続され、
前記第１のトランジスタのソース又はドレインの他方は、前記第２のトランジスタのゲートと電気的に接続され、
前記第１のトランジスタのゲートは、第２の配線と電気的に接続され、
前記容量の他方の電極は、第３の配線と電気的に接続され、
前記第２のトランジスタのソース又はドレインの一方は、前記第１の配線と電気的に接続され、
前記第２のトランジスタのソース又はドレインの他方は、第４の配線と電気的に接続され、
前記第４の配線は、異なる複数の電位を供給する機能を有し、
前記第１のトランジスタはＮチャネル型であり、
前記第２のトランジスタはＰチャネル型であり、
前記第１のトランジスタは、酸化物半導体を有し、
前記酸化物半導体の下方に絶縁層を有し、
前記絶縁層の下方に、前記第２のトランジスタの半導体を有することを特徴とする半導体装置。
【請求項２】
請求項１において、
前記絶縁層の上面は、ＣＭＰ法によって平坦化されていることを特徴とする半導体装置。
【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
制御システム内のフィールドバス装置（１１５ａ〜ｎ）の識別する方法（２００）であって、
１つまたは複数の個々のリンク装置（１１０ａ〜ｎ）から前記コントローラ（１０５）で１つまたは複数のメッセージを受信する（６１５）ステップであって、各前記１つまたは複数のメッセージは、前記個々のリンク装置（１１０ａ〜ｎ）の複数のセグメントに関連する情報を含み、各前記複数のセグメントは、１つまたは複数のフィールドバス装置（１１５ａ〜ｎ）を接続することができる通信チャネルを備える、ステップと、
前記コントローラ（１０５）により、各前記１つまたは複数の受信メッセージを解析して（６２０）、１つまたは複数のフィールドバス装置（１１５ａ〜ｎ）が接続されている各個々のリンク装置（１１０ａ〜ｎ）の前記複数のセグメントの１つまたは複数を識別するステップと、
前記識別された１つまたは複数のセグメント各々について、当該セグメントに接続されている前記１つまたは複数のフィールドバス装置（１１５ａ〜ｎ）に関連する情報を要求する個々の照会メッセージを前記コントローラ（１０５）により生成する（６３０）ステップと、
前記コントローラ（１０５）により、前記個々の照会メッセージを各前記識別された１つまたは複数のセグメントに通信する（６３０）ステップと、
前記１つまたは複数の照会メッセージに対して、１つまたは複数の個々の応答を前記コントローラ（１０５）によって受信する（６３５）ステップであって、各応答は、前記セグメントに接続されている前記１つまたは複数のフィールドバス装置（１１５ａ〜ｎ）に関連する情報を含む、ステップと、
前記１つまたは複数の個々の応答に基づいて、前記制御システム（１００）に含まれる１つまたは複数のフィールドバス装置（１１５ａ〜ｎ）の一覧を前記コントローラ（１０５）により作成する（６７０）ステップと、
前記複数のセグメントに接続された１つまたは複数のフィールドバス装置（１１５ａ〜ｎ）への変化であって受信した照会応答とそれぞれの以前記憶された紹介応答との間の相違を含む変化を決定するステップと、
各個々のリンク装置（１１０ａ〜ｎ）のための前記複数のセグメントの少なくとも１つに対する変化であって受信した第２の照会応答と以前記憶された前記複数のセグメントに関する情報との間の相違を含む変化を決定するステップと
を含む、方法（２００）。
【請求項２】
１つまたは複数のフィールドバス装置（１１５ａ〜ｎ）のリストを、ユーザに対する該リストに関連する情報を表示する外部コンピュータに送るステップをさらに含む、請求項１に記載の方法。
【請求項３】
１つまたは複数のフィールドバス装置（１１５ａ〜ｎ）のリストの変化を識別するステップと、
前記識別された変化に関連する情報を外部コンピュータに送るステップと
をさらに含む、請求項１に記載の方法。
【請求項４】
前記個々のリンク装置（１１０ａ〜ｎ）から受信した前記１つまたは複数のメッセージに関連する情報を記憶するステップをさらに含む、請求項１乃至３のいずれか１項に記載の方法。
【請求項５】
前記情報を記憶するステップに続けて、前記１つまたは複数のリンク装置（１１０ａ〜ｎ）の１つから、前記リンク装置（１１０ａ〜ｎ）の前記複数のセグメントに関連する情報を含む第２のメッセージを受信する（７１０）ステップと、
前記第２のメッセージに含まれる前記情報の少なくとも一部を前記記憶された情報の少なくとも一部と比較する（７２０）ステップと、
前記比較に基づいて、前記リンク装置（１１０ａ〜ｎ）の前記複数のセグメントに接続されている前記１つまたは複数のフィールドバス装置（１１５ａ〜ｎ）が変化したと判定する（７２５）ステップと
をさらに含む請求項４記載の方法（２００）。
【請求項６】
前記リンク装置（１１０ａ〜ｎ）の前記複数のセグメントに接続されている前記１つまたは複数のフィールドバス装置（１１５ａ〜ｎ）が変化した旨の判定に基づいて、１つまたは複数のフィールドバス装置（１１５ａ〜ｎ）の前記一覧を更新する（７８０）ステップ
をさらに含む請求項５記載の方法（２００）。
【請求項７】
前記比較に基づき、変化が起こった前記リンク装置のセグメントを識別するステップと、
前記識別されたセグメントに第２の照会メッセージを通信するステップと、
前記識別されたセグメントから、前記第２の照会メッセージに対する第２の応答を受信するステップと、
前記第２の応答に含まれる情報の少なくとも一部と前記識別されたセグメントのために記憶された情報の一部とを比較するステップと、
前記比較に基づき、前記セグメントに接続された１又は複数のフィールドバス装置の変化を識別するステップと
をさらに含む、請求項５記載の方法（２００）。
【請求項８】
前記情報を記憶するステップに続けて、前記１又は複数のリンク装置からの第２のメッセージを受信することに関して識別された障害に基づき、該リンク装置がもはや前記制御装置に接続されていないことを決定するステップと、
前記リンク装置がもはや前記制御装置に接続されていないことの前記決定に基づき、前記１又は複数のフィールドバス装置のリストを更新するステップと
をさらに含む、請求項４記載の方法（２００）。
【請求項９】
前記接続された各フィールドバス装置のために各々の照会メッセージを生成するステップと、
前記各々の照会メッセージを各フィールドバス装置に通信するステップと、
前記１又は複数の装置の照会メッセージに応じて、１又は複数の装置の応答であって各応答が各フィールドバス装置に関する情報を含む１又は複数の装置の応答を受信するステップと
をさらに含む、請求項１乃至８のいずれか１項に記載の方法（２００）。
【請求項１０】
前記複数のフィールドバス装置（１１５ａ〜ｎ）の一覧を作成する（６７０）前記ステップは、前記受信した１又は複数の装置の応答に基づき前記接続されたフィールドバス装置のプレゼンテーションを生成するステップを含む、請求項９に記載の方法（２００）。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
複合部品を圧縮するのに使用される真空バッグ（３０）の空気漏れ口（４２）の位置を示すデバイスであって：
該真空バッグ（３０）の漏れ口（４２）によって発生する、層の酸素に触れた領域における酸化還元反応の結果、色が変化する該真空バッグの内表面（３０ａ）上の材料層（３６）
を含むデバイス。
【請求項２】
材料層（３６）が、酸化還元反応の結果、層の酸素に触れた領域を実質的に無色の状態から色の付いた状態へ変化させるインクである、請求項１に記載のデバイス。
【請求項３】
材料層（３６）が：
酸素透過ポリマーバインダ、
バインダ中に分散された半導体ナノ粒子、
電子供与材料、及び
酸化還元指示器材料
を含む、請求項１に記載のデバイス。
【請求項４】
半導体ナノ粒子がＴｉＯ２、ＳｉＣ、ＺＮＳ、ＧａＮ及びＴａ２Ｏ５のうちの一つであり、
電子供与材料がグリセロールであり、
還元酸化指示器材料がインディゴ−テトラスルホン酸塩である、請求項１に記載のデバイス。
【請求項５】
材料層（３６）が印刷されたインクである、請求項１に記載のデバイス。
【請求項６】
材料層（３６）がバッグ（３０）に組み込まれている、請求項１に記載のデバイス。
【請求項７】
材料層（３６）がバッグ（３０）とは別のフィルムである、請求項１に記載のデバイス。
【請求項８】
部品を処理するのに使用される透明な真空バッグ（３０）の漏れ口（４２）を検出する方法であって：
バッグ（３０）の空気漏れ口（４２）の領域の色を変化させる材料層（３６）をバッグの内表面（３０ａ）に塗布し、
バッグ（３０）から空気を抜き、
バッグ（３０）を通して見える材料層（３６）の色の変化を目視観察する
ことを含む方法。
【請求項９】
漏れ口（４２）を通してバッグ（３０）に進入する空気の酸素に反応するように、材料層（３６）を活性化することをさらに含む、請求項８に記載の方法。
【請求項１０】
材料層（３６）を活性化することを、バッグ（３０）の空気が実質的に抜かれた後に行う、請求項８に記載の方法。
【手続補正２】
【補正対象書類名】明細書
【補正対象項目名】００５２
【補正方法】変更
【補正の内容】
【００５２】
本発明の実施形態を特定の実例となる実施形態に関連させて説明してきたが、当然ながら特定の実施形態は説明のためであり、限定するものではなく、当業者が他の変形例を発想することが可能である。
また、本願は以下に記載する態様を含む。
（態様１）
複合部品を圧縮するのに使用される真空バッグの空気漏れ口の位置を示すデバイスであって：
バッグの漏れ口によって発生する、層の酸素に触れた領域における酸化還元反応の結果、外観が変化するバッグの内表面上の材料層
を含むデバイス。
（態様２）
材料層が、酸化還元反応の結果、層の酸素に触れた領域を実質的に無色の状態から色の付いた状態へ変化させるインクである、態様１に記載のデバイス。
（態様３）
材料層が：
酸素透過ポリマーバインダ、
バインダ中に分散された半導体ナノ粒子、
電子供与材料、及び
酸化還元指示器材料
を含む、態様１に記載のデバイス。
（態様４）
半導体ナノ粒子がＴｉＯ２、ＳｉＣ、ＺＮＳ、ＧａＮ及びＴａ２Ｏ５のうちの一つであり、
電子供与材料がグリセロールであり、
還元酸化指示器材料がインディゴ−テトラスルホン酸塩である、態様１に記載のデバイス。
（態様５）
材料層が印刷されたインクである、態様１に記載のデバイス。
（態様６）
材料がバッグに組み込まれている、態様１に記載のデバイス。
（態様７）
材料層がバッグとは別のフィルムである、態様１に記載のデバイス。
（態様８）
部品を処理するのに使用される透明な真空バッグの漏れ口を検出する方法であって：
バッグの空気漏れ口の領域の外観を変化させる材料層をバッグの内表面に塗布し、
バッグから空気を抜き、
バッグを通して見える材料層の外観の変化を目視観察する
ことを含む方法。
（態様９）
漏れ口を通してバッグに進入する空気の酸素に反応するように、材料層を活性化することをさらに含む、態様８に記載の方法。
（態様１０）
材料層を活性化することを、バッグの空気が実質的に抜かれた後に行う、態様８に記載の方法。
【手続補正書】
【提出日】平成26年3月20日(2014.3.20)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
第１のシフトレジスタ、第２のシフトレジスタ、第１のセレクタ回路、及び第２のセレクタ回路を有する走査線駆動回路と、
第１の領域及び第２の領域を有する画素部と、
前記第１の領域に位置する第１の画素に電気的に接続する第１の走査線と、
前記第２の領域に位置する第２の画素に電気的に接続する第２の走査線と、
前記第１の画素に電気的に接続する第１の信号線と、
前記第２の画素に電気的に接続する第２の信号線と、
前記第１のセレクタ回路の第１の入力端子、前記第２のセレクタ回路の第１の入力端子、前記第１の画素、及び前記第２の画素のそれぞれに電気的に接続する配線と、有し、
前記第１のシフトレジスタの第１の出力端子は前記第１のセレクタ回路の第２の入力端子に電気的に接続され、
前記第２のシフトレジスタの第１の出力端子は、前記第２のセレクタ回路の第２の入力端子に電気的に接続されることを特徴とする表示装置。
【請求項２】
第１のシフトレジスタ、第２のシフトレジスタ、第１のセレクタ回路、第２のセレクタ回路、第１のバッファ、及び第２のバッファを有する走査線駆動回路と、
第１の領域及び第２の領域を有する画素部と、
前記第１の領域に位置する第１の画素に電気的に接続する第１の走査線と、
前記第２の領域に位置する第２の画素に電気的に接続する第２の走査線と、
前記第１の画素に電気的に接続する第１の信号線と、
前記第２の画素に電気的に接続する第２の信号線と、
前記第１のセレクタ回路の第１の入力端子、前記第２のセレクタ回路の第１の入力端子、前記第１の画素、及び前記第２の画素のそれぞれに電気的に接続する配線と、有し、
前記第１のシフトレジスタの第１の出力端子は前記第１のセレクタ回路の第２の入力端子に電気的に接続され、
前記第２のシフトレジスタの第１の出力端子は、前記第２のセレクタ回路の第２の入力端子に電気的に接続され、
前記第１のバッファの入力端子は前記第１のセレクタ回路の出力端子に電気的に接続され、
前記第１のバッファの出力端子は、前記第１の走査線に電気的に接続され、
前記第２のバッファの入力端子は前記第２のセレクタ回路の出力端子に電気的に接続され、
前記第２のバッファの出力端子は、前記第２の走査線に電気的に接続されることを特徴とする表示装置。
【請求項３】
請求項１または請求項２において、
前記第１の画素は、第１のトランジスタと、第２のトランジスタと、容量と、表示素子とを有し、
前記第１のトランジスタのゲートは、前記第１の走査線と電気的に接続され、
前記第２のトランジスタのゲートは、前記配線と電気的に接続されることを特徴とする表示装置。
【請求項４】
請求項３において、
前記第１のトランジスタと前記第２のトランジスタとは、それぞれ酸化物半導体を有することを特徴とする表示装置。
【請求項５】
請求項１乃至請求項４のいずれか一において、
前記第１のセレクタ回路は、第３のトランジスタと、第４のトランジスタと、インバータと、を有し、
前記第３のトランジスタのゲートは、前記配線と、前記インバータの入力端子と、に電気的に接続され、
前記インバータの出力端子は、前記第４のトランジスタのゲートに電気的に接続されることを特徴とする表示装置。
【手続補正書】
【提出日】平成26年3月20日(2014.3.20)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
フィールドシーケンシャル駆動により表示を行うことができる機能を有する表示装置であって、
画像信号を入力することができる機能を有する第１の導電層と、
第１の走査信号を入力することができる機能を有する第２の導電層と、
第２の走査信号を入力することができる機能を有する第３の導電層と、
第１のソース、第１のドレイン、及び第１のゲートを有する第１のトランジスタと、
第２のソース、第２のドレイン、及び第２のゲートを有する第２のトランジスタと、
第３のソース、第３のドレイン、及び第３のゲートを有する第３のトランジスタと、
第１の電極、第２の電極、並びに前記第１の電極及び前記第２の電極によって電圧が印加される液晶層を有する液晶素子と、を有し、
前記第１のトランジスタ及び前記第２のトランジスタは、酸化物半導体層を有し、
前記第１のソースまたは前記第１のドレインの一方は、前記第１の導電層を介して前記画像信号が入力され、
前記第１のゲートは、前記第２の導電層を介して前記第１の走査信号が入力され、
前記第２のソースまたは前記第２のドレインの一方は、前記第１のソースまたは前記第１のドレインの他方と電気的に接続され、
前記第１の電極は、前記第２のソースまたは前記第２のドレインの他方と電気的に接続され、
前記第２の導電層は、前記第１の導電層と離間し、且つ並置されていることを特徴とする表示装置。
【請求項２】
請求項１において、
前記酸化物半導体層は、キャリア濃度が１×１０１４／ｃｍ３未満であることを特徴とする表示装置。
【請求項３】
請求項１又は２において、
容量素子を有し、
前記容量素子は、第３の電極と、第４の電極と、前記第３の電極と前記第４の電極との間の誘電体層と、を有し、
前記第３の電極は、前記第１のソースまたは前記第１のドレインの他方と電気的に接続されていることを特徴とする表示装置。
【手続補正書】
【提出日】平成26年3月20日(2014.3.20)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
シリアルのビデオ信号をパラレルのビデオ信号に変換し、画素に入力する機能を有する信号線駆動回路を有し、
前記信号線駆動回路は、
前記シリアルのビデオ信号をサンプリングするタイミングを制御する機能を有する第１の回路と、
前記タイミングに従って前記シリアルのビデオ信号をサンプリングして前記パラレルのビデオ信号に変換する機能を有する第２の回路と、
前記パラレルのビデオ信号に信号処理を施す機能を有する第３の回路と、を有し、
前記第１の回路は、シリコンまたはゲルマニウムをチャネル形成領域に含むトランジスタを有し、
前記第２の回路及び前記第３の回路は、シリコンまたはゲルマニウムよりもバンドギャップが大きい半導体をチャネル形成領域に含むトランジスタを有し、
前記シリアルのビデオ信号は、アナログであることを特徴とする表示装置。
【請求項２】
シフトレジスタと、
サンプリング回路と、
レベルシフタと、を有し、
前記シフトレジスタは、シリコンまたはゲルマニウムをチャネル形成領域に含むトランジスタを有し、
前記サンプリング回路及び前記レベルシフタは、シリコンまたはゲルマニウムよりもバンドギャップが大きい半導体をチャネル形成領域に含むトランジスタを有し、
前記サンプリング回路は、アナログのビデオ信号をサンプリングして一時的に保持することができる機能を有することを特徴とする表示装置。
【請求項３】
請求項１または請求項２において、
前記シリコンまたはゲルマニウムよりもバンドギャップが大きい半導体は、酸化物半導体であることを特徴とする表示装置。
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
左目用画像と右目用画像とを切り替えて表示する液晶表示装置と、前記左目用画像または前記右目用画像の表示に同期して視認者の左目または右目において前記左目用画像または前記右目用画像が選択的に視認されることを可能とする切替手段を有する眼鏡と、により立体画像を視認できる液晶表示装置の駆動方法であって、
前記左目用画像及び前記右目用画像は、バックライト部から照射される複数の色に対応した光を所定の期間内で切り替えることで前記左目または右目において混色させて視認されるものであり、
前記バックライト部から照射される光を、前記複数の色のいずれか一に対応する左目用の点灯期間及び右目用の点灯期間で連続して照射するとともに、左目用画像信号の書き込み動作時、及び右目用画像信号の書き込み動作時においては、前記切替手段によって前記左目及び前記右目への前記バックライト部からの光を遮断することを特徴とする液晶表示装置の駆動方法。
【請求項２】
左目用画像と右目用画像とを切り替えて表示する液晶表示装置と、前記左目用画像または前記右目用画像の表示に同期して視認者の左目または右目において前記左目用画像または前記右目用画像が選択的に視認されることを可能とする切替手段を有する眼鏡と、により立体画像を視認できる液晶表示装置の駆動方法であって、
前記左目用画像及び前記右目用画像は、バックライト部から照射される赤、緑、及び青の各色に対応した光を所定の期間内で切り替えることで前記左目または右目において混色させて視認されるものであり、
前記バックライト部から照射される光を、前記赤、前記緑、及び前記青のいずれか一に対応する左目用の点灯期間及び右目用の点灯期間で連続して照射するとともに、左目用画像信号の書き込み動作時、及び右目用画像信号の書き込み動作時においては、前記切替手段によって前記左目及び前記右目への前記バックライト部からの光を遮断することを特徴とする液晶表示装置の駆動方法。
【請求項３】
左目用画像と右目用画像とを切り替えて表示する液晶表示装置と、前記左目用画像または前記右目用画像の表示に同期して視認者の左目または右目において前記左目用画像または前記右目用画像が選択的に視認されることを可能とする切替手段を有する眼鏡と、により立体画像を視認できる液晶表示装置の駆動方法であって、
前記左目用画像及び前記右目用画像は、バックライト部から照射される赤、緑、青、及び白の各色に対応した光を所定の期間内で切り替えることで前記左目または右目において混色させて視認されるものであり、
前記バックライト部から照射される光を、前記赤、前記緑、前記青、及び前記白のいずれか一に対応する左目用の点灯期間及び右目用の点灯期間で連続して照射するとともに、左目用画像信号の書き込み動作時、及び右目用画像信号の書き込み動作時においては、前記切替手段によって前記左目及び前記右目への前記バックライト部からの光を遮断することを特徴とする液晶表示装置の駆動方法。
【請求項４】
請求項１において、
前記複数の色は、シアン、マゼンタ、イエローの各色を含むことを特徴とする液晶表示装置の駆動方法。
【請求項５】
請求項１乃至４のいずれか一において、
前記液晶表示装置は、液晶素子と、前記液晶素子を制御する機能を有するトランジスタと、を画素に有し、
前記液晶素子は、ブルー相を示す液晶材料を有することを特徴とする液晶表示装置の駆動方法。
【請求項６】
請求項５において、
前記トランジスタは、酸化物半導体層を有することを特徴とする液晶表示装置の駆動方法。
【請求項７】
請求項５または請求項６において、
前記トランジスタは、８５℃での単位チャネル幅あたりのオフ電流が１００ｚＡ／μｍ未満であることを特徴とする液晶表示装置の駆動方法。